(57)【要約】　　　（修正有）【課題】山イモの一本種は長く細いために、取扱いにくく労働効率が悪い。山イモの形状をコンパクトに育て、連続掘り取りが出来ることを課題とした栽培器が必要である。【解決手段】労働効率が高く、コスト低減が出来る山イモの１年生イモの形状は、器内にコンパクトに育成させることがよい。その器の形状の理想は２分割できる筒状の容器で、もみ殻やおがくずなどで作った薫炭を詰める。イモが成長するに従い薫炭はつぶれてイモに適当に圧力がかかり、丸く太いイモが成長する。又フックに紐を繋げて定植し、堀取り時にこの紐を引くことで連続掘り取りができる栽培器を提供する。【選択図】図１
2004024158.tif 000002
【特許請求の範囲】
【請求項１】
割れ目２１で背割れされ、割れ目２１に沿って設けられたレール３−ａ，３−ｂを有する型１−ａ　のレール３−ａ，３−ｂに、水抜き穴４を設けた型２の溝５を差し込み、型１と型２を組み合わせた山芋の一本種栽培器。
【請求項２】
請求項１の山芋の栽培器にフック６や穴７を設け、このフック６や穴７に紐又はロープ８を繋ぎ、収穫時にこの紐又はロープ８を引くことで畝９より連続して簡単に、素早く、栽培器を抜き取ることが出来る山芋の一本種栽培器。
【請求項３】
請求項１の山芋の一本種栽培器にもみ殻やおがくずなどで作った薫炭１０を詰め、この薫炭１０の中に山芋の１本種１１−ａを育成させることを特徴とした山芋の一本種栽培器。
【請求項４】
図６の型１−ｂは押し出し成形されたパイプの長手方向に割れ目２１を入れ、割れ目２１の端面１２−ａ、１２−ｂをそれぞれ逆の外方向に変形させて、逆Ω字形に形成させた場合の山芋の一本種栽培器。
【発明の詳細な説明】
【０００１】
【産業上の利用分野】
この発明は、山芋を筒状の器内に、形状を小さく、短く生育させることが出来、器より簡単に取出し易く、畝より連続的に掘り出すことが出来、定植や堀取りなどの労働時間短縮、多量栽培を可能にする山芋の一本種栽培器に関するものである。
【０００２】
【従来の技術】
従来の山芋の栽培方法の一つに、むかごから育てた１年生イモを種として栽培する方法があるが、この１年生イモを育てる方法として畔板や波板の凹部にイモを育てている。しかし、この方法では多量に植え付けは出来るものの、機械化が出来ず、畝つくり、敷き藁、マルチ架け、堀とりに多大な労力と時間を必要とし、その結果多量栽培に適していない。
また、イモの長さは５０ｃｍから８０ｃｍにも達し、時には１ｍ以上にも成長するものもあり、掘り取り時に油断をすると折れたり傷つけたりして、その価値を無くしてしまう。またデリケートな作物ゆえにこれを種として定植するときには慎重な作業を必要とするので短時間に多量に取扱うことは困難である。
【０００３】
【発明が解決しようとする課題】
本発明は、山芋の１年生イモの取扱いにくさ、労働効率の悪さなどの欠点を無くすために、１年生イモの形状をコンパクトに育て、短時間に、連続した掘り取りや次年度の本栽培の定植が簡単に出来ることを課題とした栽培器の研究栽培を続けた。
【０００４】
【課題を解決するための手段】
労働効率が高く、コスト低減が出来る１年生イモに育てる為には、器内に形状を小さく育成させることがよい。その器の形状はどのようなものが理想かを実験栽培を繰り返した結果、畝より容易に掘出すことが出来、また生育した芋を容器からすばやく傷つけずに取出すことが出来る栽培器は、２分割できる筒状の容器が理想的であることを発見した。又容器内にはもみ殻やおがくずなどで作った薫炭を詰める。土を詰めると容器は破裂してしまうが、薫炭はイモが成長するに従いつぶれてイモに適当に圧力がかかり、丸く太いイモが成長する。
これを図面で説明すると、図２の型　１−ａ　と図３の型　２　を組み合わせた図４〜図７の山芋の一本種栽培器の内側に薫炭　１０　を詰め、図７のように紐又はロープ８をフック６　又は穴　７　に繋ぎ、畝９　中に開口部１３を上にして埋設する。
図４の栽培器の上部開口口　１３　の上、約５〜１０ｃｍの位置にむかご　１４　を定植する。むかご　１４　より成長した新生イモ１１−ｂ　は栽培器の開口部底面１５　に達した後、植物の背地性によりその後栽培器の内面に沿って下方へ伸びる。さらに成長を続ける新生イモ　１１−ｂは栽培器の底１６で行き場をさえぎられ、図５のごとく栽培器内にヘビがトグロを巻いたように一年かけて１本種１１−ａに成長する。　灌水により水が栽培器内に浸入するが、図１、図３の水抜き穴４より抜けでるので、水分過多による腐敗は防げる。
栽培器の材質は、ポリプロピレン樹脂、塩化ビニール樹脂、または金属等を成形して形成したことを特徴とした栽培器。　型１−ａ、型２は押し出し成形で形成する。図６の型１−ｂは押し出し成形されたパイプを背割りしてその切り口２１を逆Ω形に変形させたことを特徴とした栽培器。
【０００５】
【発明の実施の形態】
本発明は以上のような構成であるから、成長する１年生イモは、栽培器内でヘビがトグロを巻いたように、栽培器内の形状に全体がコンパクトで、首部が太い形状に育つ。また連続して短時間掘出しができ、容易に器から取出せるので労働時間短縮ができる。
【０００６】
【実施例】
本発明を実施するために、最初はペットボトルや野花立てなどの樹脂製容器を利用して栽培したが、生育された１年生イモを容器から取出すことが出来ず、次の年にはまた同じ量の容器が必要になり、効率が悪い。次に竹を使用して育成させ、定植するときはこの竹を割って１年生イモを取出し、定植を行った。容器内に栽培しても種イモになんら障害はない。竹はイモを取出すときに割ってしまうので、毎年作成しなければならないなどの欠点がある。次に２分割できる電線カバー内に育成させてみたら、取出しはとても簡単であった。このようにコンパクトで、取り扱い易いイモを育成させ、容器より取出し易い栽培器を各種の方法で実施している。
又、栽培器内に初めは土を詰めたが容器が破裂してしまった。
次にもみ殻薫炭を詰めたら薫炭が適度につぶれ、その時の圧力が適度にイモにかかり，丸く太いイモが育った。種イモとして山芋を育てるので薫炭で何も問題はない。
このように容器に入れる材料を各種のもので実施している。
【０００７】
【発明の効果】
本発明は以上のような構成だから、栽培容器内にヘビがトグロを巻いた状態の、小さい形状に１年生イモを生育させることが出来、又容器が２分割できるので生育したイモを取出すことが簡単である。さらにフック、穴等が付いているので、これにロープを繋げておき、図７のごとく掘出し時はこのロープを引くだけでイモを傷つけず素早く掘出すことが出来る。
このような構造にすると次のような特徴がある。
▲１▼イモの形状がコンパクトになる。
…取扱いが容易、折れにくい、傷つきにくい。
▲２▼案内棒が不要になる。
…立てて定植すると図８の案内棒１７の代わりになる。
▲３▼容器より取出せる。
…大きさ、重さ、病害虫被害など生育状況を確認でき、種としての選別が容易。
▲４▼　首部１８が太いイモが出来る。
…折れにくく取扱いが容易。図５の成長点１９が大きくなり太い蔓が伸長して、その結果図８の新生イモ２０が大きく育つ。
▲５▼　波板、畔板がいらない。
…クワによる手作業が必要なく、トレンチャーやバックホーも不要。トラクターなどで畝立が出来るなど、機械化することが出来、大幅な労力低減、コスト低減が可能になる。
▲６▼　掘出しが簡単。
…図７のごとく、ロープを引くだけで簡単に畝より掘出すことができ、大幅に労力を低減できる。掘出しながら次年度の定植作業が同時に出来る。
▲７▼　栽培器内にもみ殻やおがくずなどで作った薫炭１０を詰める。
…コストがかからない。全国どこでももみ殻、おがくずは入手可能。薫炭であるから無菌であり病原菌よりイモを守れる。イモの成長と共に薫炭がつぶれ、圧力がイモに適度にかかり、丸く大きなイモに成長する。
▲８▼　薫炭は土壌改良剤である。
…使用済みの薫炭はそのまま畑にまいても土壌改良剤として使用できるので地球環境を破壊しない。
【図面の簡単な説明】
【図１】型１−ａ、型２の組み立て斜視図
【図２】栽培器の型１−ａの斜視図
【図３】栽培器の型２の斜視図
【図４】栽培初期の実施形態図
【図５】栽培完了時の実施形態図
【図６】栽培器の型１−ｂの斜視図
【図７】畝より収穫時の実施図
【図８】本案で育成した種芋を使用しての栽培実施図
【符号の簡単な説明】
１−ａ、１−ｂ　　型
２　　　　　　　型
３−ａ、３−ｂ　　　レール
４　　　　　　　水抜き穴
５　　　　　　　溝
６　　　　　　　フック
７　　　　　　　穴
８　　　　　　　紐又はロープ
９　　　　　　　畝
１０　　　　　　薫炭
１１−ａ　　　　　育成完了した一本種
１１−ｂ　　　　　むかごより生育初期の一本種
１２−ａ、１２−ｂ　端面
１３　　　　　　上部開口部
１４　　　　　　むかご
１５　　　　　　栽培器の開口部底面
１６　　　　　　栽培器の底
１７　　　　　　案内棒
１８　　　　　　山芋の首部
１９　　　　　　山芋の成長点
２０　　　　　　新生イモ
２１　　　　　　割れ目
【図１】
2004024158.tif 000003
【図２】
2004024158.tif 000004
【図３】
2004024158.tif 000005
【図４】
2004024158.tif 000006
【図５】
2004024158.tif 000007
【図６】
2004024158.tif 000008
【図７】
2004024158.tif 000009
【図８】
2004024158.tif 000010